(57)【特許請求の範囲】
【請求項１】
歯科インプラントに結合可能な基部（２）と三次元のスキャン領域（４）と移行領域（３）とを有する、歯科インプラントの位置及び方向を決定するスキャンボディ（１）であって、前記スキャン領域（４）が、種々のスキャン方向から該スキャン領域（４）の表面を一義的に検出するために、スキャンボディ（１）の中心縦軸線（Ｄ）に対して非対称の幾何学的配置を有しており、前記移行領域（３）が、基部（２）とスキャン領域（４）との間で、基部（２）及びスキャン領域（４）から区切られており、
スキャン領域（４）が、該スキャン領域（４）の周面にわたって分配されて配置された複数のスキャン輪郭部分（８〜１１）を有しており、前記複数のスキャン輪郭部分（８〜１１）が、移行領域（３）の外側輪郭を越えて半径方向外側へ張り出しており、かつそれぞれ互いに対して異なるように形成されており、前記複数のスキャン輪郭部分（８〜１１）が、４つの異なるスキャン輪郭部分（８〜１１）を含んでおり、前記４つの異なるスキャン輪郭部分の各１つが４つの異なるスキャン輪郭部分の他の１つと半径方向に対向していることを特徴とする、歯科インプラントの位置及び方向を決定するスキャンボディ。
【請求項２】
スキャン領域（４）の表面が、外周面（５）を含んでおり、前記スキャン輪郭部分（８、９；１０、１１）は、前記外周面（５）に設けられており、前記スキャン輪郭部分（８、９；１０、１１）は、中心縦軸線（Ｄ）に関して、該外周面（５）から半径方向外側及び内側へ変位していることを特徴とする、請求項１に記載のスキャンボディ。
【請求項３】
スキャン領域（４）の表面が、外周面（５）を含んでおり、前記スキャン輪郭部分が、半径方向外側へ張り出すスキャン輪郭（８，９）と、半径方向内側へ変位されたスキャン面（１０、１１）とを、スキャン領域（４）の前記外周面（５）に有していることを特徴とする、請求項１に記載のスキャンボディ。
【請求項４】
スキャン輪郭（８、９）とスキャン面（１０、１１）が、スキャンボディ（１）の中心縦軸線（Ｄ）に対して平行に延びる長手の方向づけを有していることを特徴とする、請求項３に記載のスキャンボディ。
【請求項５】
前記スキャン輪郭部分（８、９；１０、１１）は前記スキャン領域（４）の外周面（５）に設けられており、前記スキャン領域（４）の外周面（５）が、中心縦軸線（Ｄ）に対して回転対称であり、スキャン領域（４）の外周面（５）の直径が移行領域（３）の直径よりも大きいことを特徴とする、請求項１に記載のスキャンボディ。
【請求項６】
スキャン輪郭（８、９）が、半径方向外側へ張り出すカム形状を有していることを特徴とする、請求項３に記載のスキャンボディ。
【請求項７】
スキャン領域（４）の、基部（２）とは反対側の端面（６）が、平坦に形成されていて、中心縦軸線（Ｄ）に関する半径方向の平面内に方向付けされていることを特徴とする、請求項１に記載のスキャンボディ。
【請求項８】
カム形状のスキャン輪郭（８、９）が、異なる、軸方向長さ及び／又は幅及び／又は中心縦軸線に関する半径方向の延長を有していることを特徴とする、請求項６に記載のスキャンボディ。
【請求項９】
スキャン面（１０，１１）が平坦に形成されていることを特徴とする、請求項３に記載のスキャンボディ。
【請求項１０】
前記スキャン面が、異なる、軸方向の長さ及び／又は幅を有していることを特徴とする、請求項９に記載のスキャンボディ。
【請求項１１】
スキャン領域（４）の、半径方向の平面内に位置する端面（６）に、スキャンボディ（１）を歯科インプラントに固定するための、あるいは歯科インプラントに結合されたアダプタに固定するためのねじ孔（１２）が設けられていることを特徴とする、請求項１〜１０のいずれか一項に記載のスキャンボディ。
【請求項１２】
移行領域（３）が円筒状に形成されていることを特徴とする、請求項１又は５に記載のスキャンボディ。
【請求項１３】
移行領域（３ａ〜３ｆ）が、基部（２）から始まってスキャン領域（４）へ向かって拡幅されていることを特徴とする、請求項１又は５に記載のスキャンボディ。
【請求項１４】
前記４つの異なるスキャン輪郭部分は、互いに反対方向に向いた第１の対の輪郭部分と、互いに反対方向に向いた第２の対の輪郭部分とを含んでおり、前記第１の対の輪郭部分が、互いに異なる長さの平坦な表面を有し、前記第２の対の輪郭部分が互いに異なる大きさの半径方向に突出した輪郭を有することを特徴とする、請求項１に記載のスキャンボディ。
【発明の詳細な説明】
【技術分野】
【０００１】
本発明は、歯科インプラントの位置及び方向を決定するためのスキャンボディに関するものであって、該スキャンボディはインプラントに結合可能な基部と三次元のスキャン領域とを備え、前記スキャン領域が、種々のスキャン方向からその表面を一義的に検出するために、スキャンボディの中心縦軸線に対して非対称の幾何学的配置を有する。
【背景技術】
【０００２】
この種のスキャンボディは特許文献１から知られている。既知のスキャンボディは、単一構造で形成されていて、基部を有し、その基部が直接に又はアダプタを介して間接的に歯科インプラントに結合可能である。スキャンボディは、その表面に三次元のスキャン領域を有しており、そのスキャン領域に、互いに対して角度をもって方向付けされた複数の平坦な面が設けられており、それらの面は三角形状又は五角形状に形成されている。
【先行技術文献】
【特許文献】
【０００３】
【特許文献１】欧州特許出願公開第２２１８４２３号明細書
【発明の概要】
【発明が解決しようとする課題】
【０００４】
本発明の課題は、高い精度をもって全てのスキャン方向からのスキャンプロセスを可能にする、冒頭で挙げた種類のスキャンボディを提供することである。
【課題を解決するための手段】
【０００５】
この課題は、基部とスキャン領域との間に、基部及びスキャン領域から区切られた移行領域が設けられていること、及びスキャン領域が、スキャン領域の周面にわたって分配されて配置された複数のスキャン輪郭部分を有しており、それら複数のスキャン輪郭部分が移行領域の外側輪郭を越えて半径方向外側へ張り出し、かつそれぞれ互いに対して異なるように形成されていることによって解決される。本発明に係る解決法によると、スキャン領域は、基部とスキャン領域との間に移行領域を介在させることによって、基部に対して、そしてそれに伴って該当するインプラントに対して十分に広く隔たっており、それによって任意の方向からのスキャンプロセスが可能になる。さらに、移行領域の外側輪郭を越えて半径方向に張り出し、かつ異なるように形成されているスキャン輪郭部分も、全てのスキャン方向からのスキャンボディの正確な検出を保証する。移行領域に対して半径方向に拡幅することによって、スキャン領域は大きい体積及び従って大きい表面を獲得し、その表面が特に正確な測定を可能にする。それによって、特に良好なやり方で、空間の三方向全てにおいて歯科インプラントの中心縦軸線の方向づけを正確に決定することが可能になる。正確に求められた三次元のスキャン結果は、電子的なメモリライブラリからのスキャンボディの原データと比較される。この比較によって、インプラントの方向は、特に歯肉に対し、隣接する歯に対し、顎部分に対し、及び隣接する義歯又はインプラントに対する関係においても特に正確に決定され得る。それによって、スキャンプロセスの結果に基づく橋脚歯と義歯の形態を特に正確かつ個人毎に適合させることができる。スキャンプロセスの高い精度は、次に橋脚歯と義歯を個人毎に形成する場合にも、それがスキャン結果に基づいて構築されるので、必然的に高い精度をもたらす。本発明に係る解決によって、スキャンボディのスキャンプロセスを上からあるいは側方からだけでなく斜め下からも実施することが可能になる。これは、患者の口腔領域内でスキャンボディを直接スキャンする場合には、接近性が悪いことが多いので特に効果的である。スキャンボディを下からもスキャンすることができることによって、スキャンボディ及び口腔領域内の歯科環境の一義的かつ三次元の検出が常に可能であることが保証される。もちろんスキャンボディは、適切に準備された歯科インプラントを有する歯列モデルのスキャンプロセスにおいても利点を有している。本発明によれば、基部に軸方向に連続して移行領域が設けられており、その移行領域に、基部とは軸方向反対側においてスキャン領域が連続しており、その周面は移行領域に対して半径方向に拡幅されている。スキャンボディは、好ましくは、スキャン可能なプラスチック材料、特に熱可塑性プラスチックから形成される。特に好ましくは、スキャンボディはポリエーテルケトン（ＰＥＥＫ）から形成される。
【０００６】
本発明の一実施形態において、スキャン領域の外周面には、中心縦軸線に関して、この外周面から半径方向外側及び内側へ変位したスキャン輪郭部分が設けられている。
【０００７】
本発明の他の実施形態において、スキャン領域の外周面には、半径方向外側へ張り出すスキャン輪郭の形式のスキャン輪郭部分と、半径方向内側へ変位したスキャン面の形式のスキャン輪郭部分が設けられている。スキャン面は、好ましくは平坦に形成されている。スキャン輪郭は、半径方向外側へ隆起して形成されている。
【０００８】
本発明の他の実施形態において、スキャン輪郭とスキャン面は、スキャンボディの中心縦軸線に対して平行に延びる長手の方向付けを有している。スキャンボディの中心縦軸線は、必然的に歯科インプラントの中心縦軸線も定めるので、スキャン輪郭とスキャン面を検出することによって、歯科インプラントの中心縦軸線の位置を推断することができる。
【０００９】
本発明の他の実施形態において、外周面は、中心縦軸線に対して回転対称に、特に同軸円筒状に形成されており、その場合に円筒の直径は移行領域の直径よりも大きい。この実施形態も、歯科インプラントの位置及び方向を簡単に決定することに寄与する。
【００１０】
本発明の他の実施形態において、スキャン輪郭は半径方向外側へ張り出すカム形状を有している。好ましくは、相応しいカムは異なる長さと幅を有している。カムが、異なる軸方向の長さを有するか、あるいは異なる軸方向の幅を有することも可能である。カムはその全長にわたって同一の横断面を有している。カムは、好ましくは凸状に彎曲した横断面を有している。
【００１１】
本発明の他の実施形態において、スキャン領域の基部とは反対側の端面は、平坦に形成されていて、中心縦軸線に関する半径方向の平面内に方向付けされている。スキャン領域は、好ましくは、円筒状の基本形状を有しており、その場合に端面は円筒の端面に従って形成される。
【００１２】
本発明の他の実施形態において、カム形状のスキャン輪郭は、異なる軸方向の長さ及び／又は幅及び／又は半径方向の延長を有している。それによって、三次元空間内でスキャン領域を一義的に対応づけることが可能になる。
【００１３】
本発明の他の実施形態において、スキャン面は平坦に形成されている。平坦な形成は、スキャン面の大面積の領域について当てはまる。スキャン面の端縁領域は、好ましくは凹状に屈曲して形成されており、あるいは直接、外周面へのエッジを形成する。
【００１４】
本発明の他の実施形態において、互いに正反対に対向する二つのスキャン面が設けられており、それらは異なる軸方向長さ及び／又は幅を有している。従ってスキャンボディの方向は一義的に決定され得る。
【００１５】
本発明の他の実施形態において、スキャン領域の半径方向の平面内に位置する端面には、スキャンボディをインプラント又はインプラントに結合されたアダプタに固定するためのねじ孔が設けられている。それによって、スキャンボディを歯科インプラント又はインプラントに結合されたアダプタに簡単に固定することが可能になる。
【００１６】
本発明の他の実施形態において、移行領域は円筒状に形成されている。円筒状に形成することは、好ましくはスキャンボディの中心縦軸線に対して同軸に行なわれるので、移行領域自体もすでに、歯科インプラントの中心縦軸線の位置を推断することを可能にする。移行領域が、スキャン領域よりも小さい直径を有することによって、視線角度においても、すなわち下からのスキャンプロセスにおいても、移行領域がスキャン領域を覆うことはない。むしろスキャン領域は、このスキャン視野においても下からはっきりと認識可能であり、かつ決定することができる。
【００１７】
本発明の他の実施形態においては、移行領域は、基部から始まってスキャン領域へ拡幅している。拡幅は、好ましくは連続的に、特に好ましくは円錐状に行なわれる。
【００１８】
本発明の他の利点及び特徴が、請求項から、及び図面を用いて示される本発明の好ましい実施例についての以下の説明から明らかにされる。
【図面の簡単な説明】
【００１９】
【図１】本発明に係るスキャンボディの実施形態を示す斜視図である。
【図２】図１に示されるスキャンボディを拡大して示す側面図である。
【図３】図２に示されるスキャンボディを９０°回転して示す側面図である。
【図４】図１〜図３に示されるスキャンボディを示す縦断面図である。
【図５】図１〜図４に示されるスキャンボディの下面図である。
【図６】図１〜図５に示されるスキャンボディの上面図である。
【図７】本発明に係るスキャンボディの実施形態を示す、図１と同様の斜視図である。
【図８】本発明に係るスキャンボディの実施形態を示す、図１と同様の斜視図である。
【図９】本発明に係るスキャンボディの実施形態を示す、図１と同様の斜視図である。
【図１０】本発明に係るスキャンボディの実施形態を示す、図１と同様の斜視図である。
【図１１】本発明に係るスキャンボディの実施形態を示す、図１と同様の斜視図である。
【図１２】本発明に係るスキャンボディの実施形態を示す、図１と同様の斜視図である。
【発明を実施するための形態】
【００２０】
図１〜図６に示すスキャンボディ１は、熱可塑性プラスチックＰＥＥＫ（ポリエーテルエーテルケトン）から形成された、単一構造のプラスチック構成部品として形成されている。スキャンボディ１は、患者の顎領域内の歯科インプラントの位置及び方向を決定するために使用される。歯科インプラントの位置及び方向を決定することは、個人毎の橋脚歯を計画して個人毎に形成された義歯を提供するために用いられる。患者の口腔領域内で行なうことができる適切な口腔内のスキャンプロセスを用いて、スキャンボディは正確に三次元で検出され得る。代替的に、スキャンプロセスは、口腔外で、患者のためのプランニングモデル又は作業モデルにおいて行なうことができる。両方の場合において、隣接する歯、顎部分、歯科インプラント、歯肉などのような、顎領域内の歯科環境（口腔又はモデル）に対して、スキャンボディを正確に三次元で関係付けることも可能である。本発明に係るスキャンボディ１は、各方向から完全に三次元で決定されて関係付けられることが可能である。スキャンボディ１は、歯科インプラントと直接に結合されるか、あるいは歯科インプラントのアダプタと結合される。スキャンプロセスが終了した後に、スキャンボディ１は再び取り外される。スキャンプロセスをとおして求められた電子的なデータは、評価されて、橋脚歯又は義歯を計画して個人毎に形成するために使用される。
【００２１】
スキャンボディ１は基部２を有しており、その基部２が歯科インプラントの上側又は歯科インプラントのアダプタ内へ挿入可能であって、螺合によってそこに固定可能である。基部２は、詳細に示されない回転防止手段を有しており、それが、歯科インプラントに対するスキャンボディ１の回転不能の位置決めを可能にする。スキャンボディ１の終端部分を形成する基部２に、円筒状の移行領域３が連続しており、その移行領域３は、スキャンボディ１の中心縦軸線Ｄに対して同軸に形成されている。円筒状の移行領域３の直径は、略円筒状の基部２に対して階段状に拡大されている。差込み部分として形成されている基部２に、カム形状の回転防止要素が設けられており、その回転防止要素が、円筒状に形成されている基部２から半径方向外側へ張り出している。回転防止要素の領域内でも、基部２の直径は移行領域３の直径よりも小さい。移行領域３に、基部２とは反対側の端面６へ向かって、体積の大きいスキャン領域４が連続しており、そのスキャン領域４は、中心縦軸線Ｄに関して、スキャンボディ１の長さの約半分にわたって延びている。スキャン領域４は、円筒状の基礎的外周面５を有しており、その基礎的外周面５は、中心縦軸線Ｄに対して同軸に方向付けされていて、移行領域３よりも大きい直径を有している。基礎的外周面５は、本発明の主旨におけるスキャンボディ１の外周面を表している。基礎的外周面５は、その軸方向の長さにおいて上へ向かって、すなわち移行領域３から離れるように、端面６によって境界を定められており、その端面６は、中心縦軸線Ｄに関する半径方向の平面内に方向付けされた平坦な端面として形成されている。基礎的外周面５は、その周面にわたって均一に分配されて配置された、全部で四つのスキャン部分８〜１１を有しており、そのうちの二つがカム形状のスキャン輪郭８、９として、他の二つが半径方向内側へ変位した実質的に平坦なスキャン面１０、１１として形成されている。カム形状のスキャン輪郭８、９は、スキャンボディ１の長手方向に延びており、従って中心縦軸線Ｄに対して平行に延びている。二つのスキャン輪郭８、９は、上で端面６に直接に連続しており、下方へ向かってスキャン領域４の長さの半分より多くにわたって延びている。スキャン輪郭９は、スキャン輪郭８より約１０〜２０％だけ長く形成されている。二つのスキャン輪郭８、９は、基礎的外周面５から半径方向外側へ向かって張り出している。スキャン領域４の周方向に見て、スキャン輪郭８の幅はスキャン輪郭９の幅よりも遥かに大きい。二つのスキャン輪郭８、９は、互いに対して正反対に対向している。スキャン輪郭８、９に対して直角に、半径方向内側へ変位した二つのスキャン面１０、１１も、互いに対して次のように、すなわちスキャン面１０、１１の平坦な面部分が互いに対して平行にかつ中心縦軸線Ｄに対して平行に方向付けされるように正反対に対向している。スキャン部分８〜１１は、基礎的外周面５の周面にわたって均一に分配されて配置されているので、隣接するスキャン部分８〜１１は、それぞれ周方向に見て互いに対して９０°の角度で方向付けされている。
【００２２】
スキャンボディ１は、中実のプラスチックボディであって、そのプラスチックボディがその中心にだけ段付きの貫通孔１２（図４）を有しており、その貫通孔１２は、ねじ孔とも称される。この貫通孔は、スキャンボディ１を歯科インプラント内に、あるいは対応づけられたアダプタ内に取り外し可能に固定するねじを収容するために用いられる。
【００２３】
二つのカム形状のスキャン輪郭８、９は、その角部領域において大きい半径を有しているので凸状の丸みが生じている。幅広のスキャン輪郭８は、ほぼ矩形の横断面を有している。幅狭のスキャン輪郭９は、ほぼ半円形状の横断面を有している。
【００２４】
対向する平坦なスキャン面１０、１１は、基礎的外周面５に対して半径方向内側へ変位しており、また各スキャン面１０、１１の領域内の半径１３、１４であって、移行領域３の方へ向いた各スキャン面１０、１１の下側の領域内の半径１３、１４を介して基礎的外周面５に連続している。半径１３、１４は、凹状の丸みとして形成されている。各スキャン面１０、１１の対向する縦方向の辺へ向かって、平坦な面部分が基礎的外周面５の外側輪郭まで延びており、そこで、図６から読み取れるように、エッジによって然るべき外側輪郭面へ移行している。図１〜図６を用いて認識できるように、スキャンボディ１は、各任意の方向から他の三次元で正確に定められた唯一の種類の視点を提供し、その視点は、任意の他の方向からなる各視点から区別される。それによって、スキャンボディ１を三次元の空間内で従って患者の口腔領域内あるいは顎モデルの領域内でも正確に三次元で決定し、従って間隔、方向、及び整列を有する歯科環境を正確に定義することが可能である。
【００２５】
図７〜図１２に示されるスキャンボディ１ａ〜１ｆは、スキャン領域４を有しており、そのスキャン領域は、図１〜図６に示されるスキャンボディ１のスキャン領域４と同一に形成されている。従って繰返しを避けるために、図１〜図６に示される実施形態についての説明への参照がなされる。スキャンボディ１ａ〜１ｆにおける本質的な差異は、まず、基部２ａ〜２ｆが、種々の仕様の歯科インプラントの異なるように形成された使用領域に適合されることである。従って基部２ａ〜２ｄは、六面角輪郭を有している。それに対して基部２ｅと２ｆには、溝／さね輪郭が形成されている。
【００２６】
移行領域３ａ〜３ｆは、全てのスキャンボディ１ａ〜１ｆにおいて、軸方向に段付きで形成されている。それぞれの移行領域３ａ〜３ｆの少なくとも一つの部分領域は、次のように、すなわちこの部分領域がその、それぞれの基部２ａ〜２ｆの方へ向いた前端縁からスキャン領域４へ向かって連続的に、すなわち円錐状に拡がるように、円錐状に拡幅して形成されている。第２の部分領域は、同様に円錐状に拡幅して形成されるか、あるいは円筒状に形成されてもよい。図７に示される実施形態において、基部２ａの方へ向いた下方の部分領域３’ａは、円錐状に拡幅して形成されている。それに対して移行領域３ａの、スキャン領域４へ向かって軸方向上側に連続する部分領域３ａ”は円筒状に形成されており、その場合にその直径は円錐状の部分領域３’ａに対して階段状に拡幅されている。図８に示される実施形態において、スキャンボディ１ｂは二つの円錐状の部分領域３ｂ’、３ｂ”を有しており、それらは段部によって互いに分離されている。下方の円錐状の部分３ｂ’は基部２ｂに付け足されている。軸方向上側に連続する第２の円錐状の部分領域３ｂ”はスキャン領域４へ向かって拡幅している。図９に示されるスキャンボディ１ｃは、図８に示す実施形態と同様に、移行領域３ｃ内に二つの円錐状の部分領域３’ｃ、３ｃ”を有しており、それらは段部によって互いに分離されている。同じことが、図１０に示すスキャンボディ１ｄについても当てはまるが、下方の円錐状に拡幅した部分領域３ｄ’が図８と９に示す下方の部分領域３ｂ’、３’ｃに比較してわずかに大きい軸方向長さを有するという違いがある。
【００２７】
図１１と図１２に示される実施形態においては、下方の円錐状に拡幅した部分領域３ｅ’、３ｆ’は、比較的小さい軸方向長さを有している。それぞれの下方の部分領域３ｅ’、３ｆ’の円錐状の拡幅の角度は、隣接する円錐状に拡幅する部分領域３ｅ”、３ｆ”の角度よりもずっと大きい。
【００２８】
図７〜図１２に示すスキャンボディ１ａ〜１ｆは、著しく拡大された縮尺寸法の斜視図で示されている。
【符号の説明】
【００２９】
１    スキャンボディ
２    基部
３    移行領域
４    スキャン領域
５    外周面
６    端面
８    スキャン輪郭
９    スキャン輪郭
１０    スキャン面
１１    スキャン面
【図１】
0005944651.tif 000002
【図２】
0005944651.tif 000003
【図３】
0005944651.tif 000004
【図４】
0005944651.tif 000005
【図５】
0005944651.tif 000006
【図６】
0005944651.tif 000007
【図７】
0005944651.tif 000008
【図８】
0005944651.tif 000009
【図９】
0005944651.tif 000010
【図１０】
0005944651.tif 000011
【図１１】
0005944651.tif 000012
【図１２】
0005944651.tif 000013